(57)【要約】【課題】浴室やトイレ内で人が扉に凭れかかるように倒れて開けることが困難な緊急事態が発生した場合には、速やかに救出するため扉の一部を破壊する。【解決手段】扉体の着脱を簡単に素早く成してなる可動支持軸ユニットであって、可動支持軸操作部に施してなる可動支持軸回転操作手段を任意に回転操作することにより連結されてなる操作ギアおよび可動支持軸ギアを通じて可動支持軸が上下に動作させることで、扉体を破壊することなく速やかに着脱できる。【選択図】図１
2006214250.tif 000002
【特許請求の範囲】
【請求項１】
扉体の着脱を簡単に素早く成してなる可動支持軸ユニットであって、可動支持軸操作部１に施してなる可動支持軸回転操作手段２を任意に回転操作することにより連結されてなる操作ギア９および可動支持軸ギア２７を通じて可動支持軸２６が摺動してなることを特徴とする可動支持軸ユニット。
【請求項２】
開戸扉体の吊元上支持軸取付位置３４および吊元下支持軸取付位置３５に可動支持軸ユニットを配設してなることを特徴とする請求項１記載の可動支持軸ユニット及びその可動支持軸ユニットを用いたドアシステム。
【請求項３】
折戸扉体の摺動支持軸取付位置５７に可動支持軸ユニットを配設してなることを特徴とする請求項１記載の可動支持軸ユニット及びその可動支持軸ユニットを用いたドアシステム。
【請求項４】
折戸扉体の吊元上支持軸取付位置３４ａと吊元下支持軸取付位置３５ａおよび摺動支持軸取付位置５７に可動支持軸ユニットを配設してなることを特徴とする請求項１記載の可動支持軸ユニット及びその可動支持軸ユニットを用いたドアシステム。
【発明の詳細な説明】
【技術分野】
【０００１】  本発明は、簡単に着脱できるドアシステムに関するものである。
【背景技術】
【０００２】  浴室やトイレ内で人が扉に凭れかかるように倒れて開けることが困難な緊急事態が発生した場合には、速やかに救出するため扉の一部を破壊して救助する。【０００３】  ドアフレームとドアフレームに遊嵌する片開きドアとの継手位置に閉戸側端縁を短く開戸側端縁を長くした台形盤の斜辺上下両端縁部に内向き溝を設けた継手盤を相対向して取付けると共に、それぞれの継手盤の内向き溝に台形状の駆動羽根を設けた蝶番を介してドアフレームと片開きドアを接続して構成したドアフレームに着脱自在な片開きドア。
【特許文献１】特開２０００−１９２７４８
【０００４】  框組の内周に、框組に対して脱衣室側へ開放可能に軸支された緊急脱出扉を収納したもので、横額縁の一端、または一方の縦額縁が横框に対して縦軸を中心に回転自在、且つ横框の長さ方向に移動自在に、緊急脱出扉が横框に支持されることにより開放時の浴室側への突出を回避し、人が浴室ドアにもたれた状態でも緊急脱出扉が開放する。
【特許文献２】特許２７７４０４４
【発明の開示】
【発明が解決しようとする課題】
【０００５】  浴室やトイレ内で人が扉に凭れかかるように倒れて開けることが困難な緊急事態が発生した場合には、速やかに救出するため扉の一部を破壊して救助しているが、修繕しなければ再利用できない課題がある。【０００６】  ドアフレームとドアフレームに遊嵌する片開きドアとの継手位置に閉戸側端縁を短く開戸側端縁を長くした台形盤の斜辺上下両端縁部に内向き溝を設けた継手盤を相対向して取付けると共に、それぞれの継手盤の内向き溝に台形状の駆動羽根を設けた蝶番を介してドアフレームと片開きドアを接続して構成したドアフレームに着脱自在な片開きドアは、実際には着脱困難等の課題がある。【０００７】  框組の内周に、框組に対して脱衣室側へ開放可能に軸支された緊急脱出扉を収納したもので、横額縁の一端、または一方の縦額縁が横框に対して縦軸を中心に回転自在、且つ横框の長さ方向に移動自在に、緊急脱出扉が横框に支持されることにより開放時の浴室側への突出を回避し、人が浴室ドアにもたれた状態でも緊急脱出扉が開放する。にあっては、折戸には利用できない課題がある。
【課題を解決するための手段】
【０００８】  本発明は、上記課題を鑑みなされたもので、開戸、折戸の区別なく、扉の開側に凭れかかるように人が倒れている様な緊急時を含み、扉を何ら損壊することなく速やかに着脱できる可動支持軸ユニットを用いたドアシステムを提案するものである。【０００９】  扉体の着脱を簡単に素早く成してなる可動支持軸ユニットであって、可動支持軸操作部に施してなる可動支持軸回転操作手段を任意に回転操作することにより連結されてなる操作ギアおよび可動支持軸ギアを通じて可動支持軸が摺動してなることを特徴とする可動支持軸ユニット。この可動支持軸回転操作手段は溝またはツマミであって良い。【００１０】  開戸扉体の吊元上支持軸取付位置および吊元下支持軸取付位置に可動支持軸ユニットを配設してなることを特徴とする可動支持軸ユニット及びその可動支持軸ユニットを用いたドアシステム。この場合の可動支持軸ユニットは金属、非金属、樹脂およびそれらの組み合わせであって良い。【００１１】  折戸扉体の摺動支持軸取付位置に可動支持軸ユニットを配設してなることを特徴とする可動支持軸ユニット及びその可動支持軸ユニットを用いたドアシステム。可動支持軸摺動駒６４はオイルレス製品であるのが好まれる。【００１２】  折戸扉体の吊元上支持軸取付位置と吊元下支持軸取付位置および摺動支持軸取付位置に可動支持軸ユニットを配設してなることを特徴とする可動支持軸ユニット及びその可動支持軸ユニットを用いたドアシステム。折戸摺動部はオイルレス樹脂製が望ましい。
【発明の効果】
【００１３】  開戸、折戸の区別なく、扉の開側に凭れかかるように人が倒れている様な緊急時を含み、扉を何ら損壊することなく着脱できる。可動支持軸ユニットの可動支持軸回転操作手段は溝式であってよくコインで操作、又はツマミ式操作が好まれる。回転操作するための特別な道具を必要としないことが望ましい。
【発明を実施するための最良の形態】
【００１４】  シンプルイズベストを合言葉に最少の部品点数で、開戸、折戸の区別なく、従来品と同様の仕上げ寸法が実現した。
【実施例１】
【００１５】  図１は本発明装置の、可動支持軸ユニットを構成してなる部品の斜視図である。可動支持軸操作部１には可動支持軸回転操作手段２が施されており操作シャフト４に固着されてなる操作ギア９と噛合わされた可動支持軸ギア２７と一体構造の可動支持軸２６が前記可動支持軸回転操作手段２を回転操作することにより上または下に摺動する。【００１６】    図２は、組立てた状態を示す可動支持軸ユニットの斜視図であって、シンプルな構造となっているのが理解できる。可動支持軸操作部１には可動支持軸回転操作手段２が施されており操作シャフト４に固着されてなる操作ギア９と噛合わされた可動支持軸ギア２７と一体構造の可動支持軸２６が前記可動支持軸回転操作手段２を回転操作することにより上または下に摺動する。【００１７】  図３は、開戸に取付ける場合の一例を示す正面図である。出入口を構成するためには、扉体２９を組付ける縦枠体３０、対向縦枠体３１、横枠体３２が必要となる。符号３３は取手である。可動支持軸ユニットは前記扉体２９の右上部付近の符号３４の吊元上支持軸取付位置と右下部付近の符号３５の吊元下支持軸取付位置に組付けるのが望ましい。【００１８】  図４は、吊元上支持軸取付位置３４に組付けて着脱する時の状態を示す斜視図である。可動支持軸操作部１に施された可動支持軸回転操作手段２は、操作部取付ブラケット５に納められて固着手段７で扉体２９に固着されている。操作ギアカバー１１で塵の付着を予防している。必要に応じて対向可動支持軸操作部１５（図１参照）を設けることができる。対向可動支持軸回転操作手段（図示せず）は対向操作部取付ブラケット１２に納められており固着手段１４で固着されている。可動支持軸収納筒１９と可動支持軸収納筒ブラケット２２は連結されており前記可動支持軸収納筒ブラケット２２は固着手段２１で扉体天端部３６に固着されている。前記可動支持軸回転操作手段２を回転させることで可動支持軸２６は摺動する。着脱時には前記可動支持軸２６は前記可動支持軸収納筒１９内に収納されている。【００１９】  図５は、吊元上支持軸取付位置３４に組付けて扉体２９を支持している状態を示す斜視図であって、可動支持軸操作部１に施された可動支持軸回転操作手段２は、操作部取付ブラケット５に納められて固着手段７で扉体２９に固着されている。操作ギアカバー１１で麈の付着を予防している。必要に応じて対向可動支持軸操作部１５（図１参照）を設けることができる。対向可動支持軸回転操作手段（図示せず）は対向操作部取付ブラケット１２に納められており固着手段１４で固着されている。可動支持軸収納筒１９と可動支持軸収納筒ブラケット２２は連結されており前記可動支持軸収納筒ブラケット２２は固着手段２１で扉体天端部３６に固着されている。前記可動支持軸回転操作手段２を回転させることで可動支持軸２６は摺動する。通常の姿は前記可動支持軸２６が可動支持軸収納筒１９より突出た状態で扉体２９を支持している。【００２０】  図６は、吊元上可動支持軸固定位置ブラケット３８の斜視図である。前記吊元上可動支持軸固定位置ブラケット３８には、吊元上可動支持軸収納穴３９が施されており、透孔４０より固着手段４１で固着する。符号４２は吊元���可動支持軸収納補助板である。【００２１】  図７は、吊元上可動支持軸固定位置ブラケット３８を組付けたときの斜視図である。横枠体３２の所定位置に組付けた吊元上可動支持軸固定位置ブラケット３８は収納されており見えないが、吊元上可動支持軸収納補助板４２と固着手段４１で固着されている。符号３９は吊元上可動支持軸収納穴であり、符号３０は縦枠体であり、符号４３は戸当りである。扉体２９を支持している状態の時は可動支持軸２６が可動支持軸収納筒１９より突出て前記吊元上可動支持軸収納穴３９に収納支持される。また、着脱時には前記可動支持軸２６は前記可動支持軸収納筒１９内に収納されており前記扉体２９はフリーとなり損壊させることなく着脱できる。【００２２】  図８は吊元下支持軸取付位置３５に組付けて扉体２９を着脱する時の状態を示す可動支持軸ユニットの斜視図である。可動支持軸操作部１に施された可動支持軸回転操作手段２は、操作部取付ブラケット５に納められて固着手段７で扉体２９に固着されている。操作ギアカバー１１で麈の付着を予防している。必要に応じて対向可動支持軸操作部１５（図１参照）を設けることができる。対向可動支持軸回転操作手段（図示せず）は対向操作部取付ブラケット１２に納められており固着手段１４で固着されている。可動支持軸収納筒１９と可動支持軸収納筒ブラケット２２は連結されており前記可動支持軸収納筒ブラケット２２は固着手段２１で扉体地端部３７に固着されている。前記可動支持軸回転操作手段２を回転させることで可動支持軸２６は摺動する。着脱時には前記可動支持軸２６は前記可動支持軸収納筒１９内に収納されている。【００２３】  図９は吊元下支持軸取付位置３５に組付けて扉体２９を支持している状態を示す斜視図であって、可動支持軸操作部１に施された可動支持軸回転操作手段２は、操作部取付ブラケット５に納められて固着手段７で扉体２９に固着されている。操作ギアカバー１１で麈の付着を予防している。必要に応じて対向可動支持軸操作部１５（図１参照）を設けることができる。対向可動支持軸回転操作手段（図示せず）は対向操作部取付ブラケット１２に納められており固着手段１４で固着されている。可動支持軸収納筒１９と可動支持軸収納筒ブラケット２２は連結されており、前記可動支持軸収納筒ブラケット２２は固着手段２１で扉体地端部３７に固着されている。前記可動支持軸回転操作手段２を回転させることで可動支持軸２６は摺動する。通常の姿は前記可動支持軸２６が可動支持軸収納筒１９より突出た状態で扉体２９を支持している。【００２４】  図１０は、吊元下可動支持軸ブラケット４４の斜視図である。扉体２９の荷重を受け回転動作を助けるための吊元下可動支持軸回転補助手段４７には、その中央付近に吊元下可動支持軸収納穴４８が施されており透孔４５より固着手段４６で固着する。【００２５】  図１１は、吊元下可動支持軸ブラケット４４を組付けた状態を示す斜視図。吊元下可動支持軸ブラケット４４は縦枠体３０に固着手段４６で固着されている。符号４７は吊元下可動支持軸回転補助手段であり、符号４８は吊元下可動支持軸収納穴であり、符号４３は戸当りである。扉体２９を支持している状態の時は可動支持軸２６が可動支持軸収納筒１９より突出て前記吊元下可動支持軸収納穴４８に収納支持される。また、着脱時には前記可動支持軸２６は前記可動支持軸収納筒１９内に収納されており前記扉体２９はフリーとなり損壊させることなく着脱できる。【００２６】  図１２は、折戸に取付ける場合の一例を示す正面図である。折戸の出入口を構成するために手先側扉体５３と吊元側扉体５４は、折戸蝶番５５、対向折戸蝶番５６によりしっかりと連結されている。それらを組付ける縦枠体４９、対向縦枠体５０および横枠体５１が必要となる。符号５２は取手である。折戸に取付ける場合は可動支持軸ユニットを吊元側扉体５４の右上部付近の符号３４ａの吊元上支持軸取付位置と右下部付近の符号３５ａの吊元下支持軸取付位置および摺動支持軸取付位置５７に組付けるのが好まれる。【００２７】  図１３は、吊元上支持軸取付位置３４ａに組付けて着脱できる状態を示す斜視図である。可動支持軸操作部１に施された可動支持軸回転操作手段２は、操作部取付ブラケット５に納められて固着手段７で吊元側扉体５４に固着されている。操作ギアカバー１１で塵の付着を予防している。必要に応じて対向可動支持軸操作部１５（図１参照）を設けることができる。対向可動支持軸回転操作手段（図示せず）は対向操作部取付ブラケット１２に納められており固着手段１４で固着されている。可動支持軸収納筒１９と可動支持軸収納筒ブラケット２２は連結されており前記可動支持軸収納筒ブラケット２２は固着手段２１で吊元側扉体天端部５４ａに固着されている。前記可動支持軸回転操作手段２を回転させることで可動支持軸２６は摺動する。着脱時には前記可動支持軸２６は前記可動支持軸収納筒１９内に収納されている。【００２８】  図１４は、吊元上支持軸取付位置３４ａに組付けて支持している状態を示す斜視図である。可動支持軸操作部１に施された可動支持軸回転操作手段２は、操作部取付ブラケット５に納められて固着手段７で吊元側扉体５４に固着されている。操作ギアカバー１１で麈の付着を予防している。必要に応じて対向可動支持軸操作部１５（図１参照）を設けることができる。対向可動支持軸回転操作手段（図示せず）は対向操作部取付ブラケット１２に納められており固着手段１４で固着されている。可動支持軸収納筒１９と可動支持軸収納筒ブラケット２２は連結されており前記可動支持軸収納筒ブラケット２２は固着手段２１で吊元側扉体天端部５４ａに固着されている。前記可動支持軸回転操作手段２を回転させることで可動支持軸２６は摺動する。通常の姿は前記可動支持軸２６が可動支持軸収納筒１９より突出た状態で吊元側扉体５４を支持している。【００２９】  図１５は、吊元上可動支持軸固定位置ブラケット５８の斜視図である。吊元上可動支持軸固定位置ブラケット５８には、吊元上可動支持軸収納穴５９が施されており、透孔６０より固着手段６１で固着する。【００３０】  図１６は、吊元上可動支持軸固定位置ブラケット５８を組付けたときの斜視図である。横枠体５１の所定位置に組付けた吊元上可動支持軸固定位置ブラケット５８は固着手段６１でＣ型ガイドレール６３を貫通して前記横枠体５１固着されている。符号５９は吊元上可動支持軸収納穴で符号４９は縦枠体である。さらに符��６２は戸当りである。吊元側扉体５４を支持している状態の時は可動支持軸２６が可動支持軸収納筒１９より突出て前記吊元上可動支持軸収納穴５９に収納支持される。また、着脱時には前記可動支持軸２６は前記可動支持軸収納筒１９内に収納されており前記吊元側扉体５４はフリーとなり損壊させることなく着脱できる。【００３１】  図１７は吊元下支持軸取付位置３５ａに組付けて吊元側扉体５４を着脱する時の状態を示す可動支持軸ユニットの斜視図である。可動支持軸操作部１に施された可動支持軸回転操作手段２は、操作部取付ブラケット５に納められて固着手段７で吊元側扉体５４に固着されている。操作ギアカバー１１で麈の付着を予防している。必要に応じて対向可動支持軸操作部１５（図１参照）を設けることができる。対向可動支持軸回転操作手段（図示せず）は対向操作部取付ブラケット１２に納められており固着手段１４で固着されている。可動支持軸収納筒１９と可動支持軸収納筒ブラケット２２は連結されており前記可動支持軸収納筒ブラケット２２は固着手段２１で吊元側扉体地端部５４ｂに固着されている。前記可動支持軸回転操作手段２を回転させることで可動支持軸２６は摺動する。着脱時には前記可動支持軸２６は前記可動支持軸収納筒１９内に収納されている。【００３２】  図１８は吊元下支持軸取付位置３５ａに組付けて吊元側扉体５４を支持している状態を示す斜視図であって、可動支持軸操作部１に施された可動支持軸回転操作手段２は、操作部取付ブラケット５に納められて固着手段７で吊元側扉体５４に固着されている。操作ギアカバー１１で塵の付着を予防している。必要に応じて対向可動支持軸操作部１５（図１参照）を設けることができる。対向可動支持軸回転操作手段（図示せず）は対向操作部取付ブラケット１２に納められており固着手段１４で固着されている。可動支持軸収納筒１９と可動支持軸収納筒ブラケット２２は連結されており前記可動支持軸収納筒ブラケット２２は固着手段２１で吊元側扉体地端部５４ｂに固着されている。前記可動支持軸回転操作手段２を回転させることで可動支持軸２６は摺動する。通常の姿は前記可動支持軸２６が可動支持軸収納筒１９より突出た状態で吊元側扉体５４を支持している。【００３３】  図１９は、吊元下可動支持軸ブラケット４４の斜視図である。扉の荷重を受け回転動作を助けるための吊元下可動支持軸回転補助手段４７が施されている。その中央付近に吊元下可動支持軸収納穴４８が施されており透孔４５より固着手段４６で固着する。【００３４】  図２０は、吊元下可動支持軸ブラケット４４を組付けた状態を示す斜視図。吊元下可動支持軸ブラケット４４は縦枠体４９に固着手段４６で固着されている。符号４７は吊元下可動支持軸回転補助手段であり、符号４８は吊元下可動支持軸収納穴である。符号４３は戸当りである。吊元側扉体５４を支持している状態の時は可動支持軸２６が可動支持軸収納筒１９より突出て前記吊元下可動支持軸収納穴４８に収納支持される。また、着脱時には前記可動支持軸２６は前記可動支持軸収納筒１９内に収納されており前記吊元側扉体５４はフリーとなり損壊させることなく着脱できる。【００３５】  図２１は、折戸の摺動支持軸取付位置５７に組付けた���態の一例を示す可動支持軸ユニットの斜視図である。可動支持軸操作部１に施された可動支持軸回転操作手段２は、操作部取付ブラケット５に納められて固着手段７で手先側扉体５３に固着されている。操作ギアカバー１１で麈の付着を予防している。必要に応じて対向可動支持軸操作部１５（図１参照）を設けることができる。対向可動支持軸回転操作手段（図示せず）は対向操作部取付ブラケット１２に納められており、固着手段１４で固着されている。可動支持軸収納筒１９と可動支持軸収納筒ブラケット２２は連結されており前記可動支持軸収納筒ブラケット２２は固着手段２１で手先側扉体天端部５３ａに固着されている。前記可動支持軸回転操作手段２を回転させることで可動支持軸２６は摺動する。着脱時には前記可動支持軸２６は前記可動支持軸収納筒１９内に収納されている。【００３６】  図２２は折戸の摺動支持軸取付位置５７に組付けた状態を示す斜視図である。可動支持軸操作部１に施された可動支持軸回転操作手段２は、操作部取付ブラケット５に納められて固着手段７で手先側扉体天端部５３ａに固着されている。操作ギアカバー１１で麈の付着を予防している。必要に応じて対向可動支持軸操作部１５（図１参照）を設けることができる。対向可動支持軸回転操作手段（図示せず）は対向操作部取付ブラケット１２に納められており固着手段１４で固着されている。可動支持軸収納筒１９と可動支持軸収納筒ブラケット２２は連結されており前記可動支持軸収納筒ブラケット２２は固着手段２１で手先側扉体天端部５３ａに固着されている。前記可動支持軸回転操作手段２を回転させることで可動支持軸２６は摺動する。通常の姿は前記可動支持軸２６が可動支持軸収納筒１９より突出た状態で手先側扉体５３を支持している。【００３７】  図２３は、可動支持軸摺動駒６４の斜視図である。可動支持軸摺動駒６４はいたってシンプルで、中央付近に可動支持軸収納穴６７を有し、摺動駒溝６５および摺動駒対向溝６６が施してある。【００３８】  図２４は、可動支持軸摺動駒６４を組付けた状態を示す斜視図である。横枠体５１にはＣ型ガイドレール６３が埋設されている。前記Ｃ型ガイドレール６３には可動支持軸摺動駒６４が配置されている。符号６７は可動支持軸収納穴である。前記可動支持軸収納穴６７に可動支持軸２６が挿入されることで前記可動支持軸摺動駒６４は摺動駒摺動部６８内を摺動する。また、着脱時には前記可動支持軸２６は可動支持軸収納筒１９内に収納されており手先側扉体５３はフリーとなり損壊させることなく着脱できる。
【産業上の利用可能性】
【００３９】  本発明による可動支持軸ユニットを従来の蝶番や吊戸車にとって変わることで、扉体を速やかに損壊することなく着脱できることにより、トイレ内などにおいて万一倒れるような事態が発生しても安心で沈着に行動することができる。
【図面の簡単な説明】
【００４０】
【図１】可動支持軸ユニットを構成してなる部品の斜視図
【図２】組立てた状態を示す可動支持軸ユニットの斜視図
【図３】開戸に取付ける場合の一例を示す正面図
【図４】吊元上支持軸取付位置に組付けて着脱する時の状態を示す斜視図
【図５】吊元上支持軸取付位置に組付けて扉体を支持している状態を示す斜視図
【図６】吊元上可動支持軸固定位置ブラケットの斜視図
【図７】吊元上可動支持軸固定位置ブラケットを組付けたときの斜視図
【図８】吊元下支持軸取付位置に組付けて扉体を着脱する時の状態を示す斜視図
【図９】吊元下支持軸取付位置に組付けて扉体を支持している状態を示す斜視図
【図１０】吊元下可動支持軸ブラケットの斜視図
【図１１】吊元下可動支持軸ブラケットを組付けた状態を示す斜視図
【図１２】折戸に取付ける場合の一例を示す正面図
【図１３】吊元上支持軸取付位置に組付けて着脱できる状態を示す斜視図
【図１４】吊元上支持軸取付位置に組付けて支持している状態を示す斜視図
【図１５】吊元上可動支持軸固定位置ブラケットの斜視図
【図１６】吊元上可動支持軸固定位置ブラケットを組付けたときの斜視図
【図１７】吊元下支持軸取付位置に組付けて着脱する時の状態を示す斜視図
【図１８】吊元下支持軸取付位置に組付けて支持している状態を示す斜視図
【図１９】吊元下可動支持軸ブラケットの斜視図
【図２０】吊元下可動支持軸ブラケットを組付けた状態を示す斜視図
【図２１】折戸の摺動支持軸取付位置に組付けた状態の一例を示す斜視図
【図２２】折戸の摺動支持軸取付位置に組付けた状態を示す斜視図
【図２３】可動支持軸ユニットの可動支持軸摺動駒の斜視図
【図２４】可動支持軸ユニットの可動支持軸摺動駒を組付けた状態を示す斜視図
【符号の説明】
【００４１】  １    可動支持軸操作部
２    可動支持軸回転操作手段
３    抜防止手段取付溝
４    操作シャフト
５    操作部取付ブラケット
６    透孔
７    固着手段
８    抜防止手段
９    操作ギア
１０    操作ギア固着手段
１１    操作ギアカバー
１２    対向操作部取付ブラケット
１３    透孔
１４    固着手段
１５    対向可動支持軸操作部
１６    対向抜防止手段取付溝
１７    対向抜防止手段
１８    対向操作シャフト
１９    可動支持軸収納筒
２０    透孔
２１    固着手段
２２    可動支持軸固着筒ブラケット
２３    可動支持軸抜止手段
２４    可動支持軸抜止手段作動窓
２５    ギア噛合せ窓
２６    可動支持軸
２７    可動支持軸ギア
２８    可動支持軸抜止手段取付部
２９    扉体
３０    縦枠体
３１    対向縦枠体
３２    横枠体
３３    取手
３４    吊元上支持軸取付位置
３４ａ  吊元上支持軸取付位置
３５    吊元下支持軸取付位置
３５ａ  吊元下支持軸取付位置
３６    扉体天端部
３７    扉体地端部
３８    吊元上可動支持軸固定位置ブラケット
３９    吊元上可動支持軸収納穴
４０    透孔
４１    固着手段
４２    吊元上可動支持軸収納補助板
４３    戸当り
４４    吊元下可動支持軸ブラケット
４５    透孔
４６    固着手段
４７    吊元下可動支持軸回転補助手段
４８    吊元下可動支持軸収納穴
４９    縦枠体
５０    対向縦枠体
５１    横枠体
５２    取手
５３    手先側扉体
５３ａ  手先側扉体天端部
５４    吊元側扉体
５４ａ  吊元側扉体天端部
５４ｂ  吊元側扉体地端部
５５    折戸蝶番
５６    対向折戸蝶番
５７    摺動支持軸取付位置
５８    吊元上可動支持軸固定位置ブラケット
５９    吊元上可動支持軸収納穴
６０    透孔
６１    固着手段
６２    戸当り
６３    Ｃ型ガイドレール
６４    可動支持軸摺動駒
６５    摺動駒溝
６６    摺動駒対向溝
６７    可動支持軸収納穴
６８    摺動駒摺動部
【図１】
2006214250.tif 000003
【図２】
2006214250.tif 000004
【図３】
2006214250.tif 000005
【図４】
2006214250.tif 000006
【図５】
2006214250.tif 000007
【図６】
2006214250.tif 000008
【図７】
2006214250.tif 000009
【図８】
2006214250.tif 000010
【図９】
2006214250.tif 000011
【図１０】
2006214250.tif 000012
【図１１】
2006214250.tif 000013
【図１２】
2006214250.tif 000014
【図１３】
2006214250.tif 000015
【図１４】
2006214250.tif 000016
【図１５】
2006214250.tif 000017
【図１６】
2006214250.tif 000018
【図１７】
2006214250.tif 000019
【図１８】
2006214250.tif 000020
【図１９】
2006214250.tif 000021
【図２０】
2006214250.tif 000022
【図２１】
2006214250.tif 000023
【図２２】
2006214250.tif 000024
【図２３】
2006214250.tif 000025
【図２４】
2006214250.tif 000026